(57)【要約】【課題】薄形キャビネットであっても、収納物の出し入れが容易であり、隣接する厨房家具との意匠合わせも容易でデザイン品質に優れ、また、ケコミ部を交換若しくは切断するだけで３タイプのいずれの厨房家具の高さにも調整することが容易で、歩留まりも良好な薄形キャビネットを提供する。【解決手段】奥行が１５ｃｍ以下の薄形のキャビネットを、天板と底板と左右サイドパネルと、左右サイドパネル間に架設された棚板と、で矩形状に形成されたキャビネット本体と、該キャビネット本体の底板の下部に配設されるケコミ体と、上記キャビネット本体の左右サイドパネルのいずれか一方又は両方に取り付けられるフィラーと、で構成し、上記棚板と天板との間に背板を配設して収納部を形成し、上記キャビネット本体の棚板と底板との空間部を配管スペースとして利用可能とすると共に、上記収納部及び配管スペースの前面開口部には、扉を開閉自在に取り付けて構成した。【選択図】図１
2005185593.tif 000002
【特許請求の範囲】
【請求項１】
奥行が１５ｃｍ以下の薄形のキャビネットであって、該キャビネットは、天板と底板と左右サイドパネルと、左右サイドパネル間に架設された棚板と、で矩形状に形成されたキャビネット本体と、該キャビネット本体の底板の下部に配設されるケコミ体と、上記キャビネット本体の左右サイドパネルのいずれか一方又は両方に取り付けられるフィラーと、で構成され、上記棚板と天板との間に背板を配設して収納部を形成し、上記キャビネット本体の棚板と底板との空間部を配管スペースとして利用可能とすると共に、上記収納部及び配管スペースの前面開口部には、扉或は戸を開閉自在に取り付けたことを特徴とする薄形キャビネット。
【請求項２】
前記収納部に開閉自在に取り付けられる扉或は戸は、上辺部が回動するポケットタイプで形成されていることを特徴とする請求項１に記載の薄形キャビネット。
【請求項３】
前記コケミ体の奥行寸法は、本薄形キャビネットと隣接する厨房家具のケコミ部の奥行寸法と同じ寸法となるように形成されていることを特徴とする請求項１又は請求項２のいずれかに記載の薄形キャビネット。
【請求項４】
前記ケコミ体の高さ寸法を１５０ｍｍ以上とし、易切断材質で形成したことを特徴とする請求項３に記載の薄形キャビネット。
【請求項５】
前記フィラーは、前記キャビネット本体の前面部と面一となるように取り付けられる意匠板部と、該意匠板部の裏面側に配設され該意匠板部をサイドパネルに固定するための固定片と、上記意匠板部の下端部に固定された前面パネル部と、から構成されてなり、該前面パネル部は、前記キャビネット本体の下部に配設されたケコミ部の前面部と面一となる奥行位置に固定されていることを特徴とする請求項１乃至請求項４のいずれかに記載の薄形キャビネット。
【発明の詳細な説明】
【技術分野】
【０００１】
この発明は、奥行が小さい薄形キャビネットに係り、特に壁に沿って引き回された配管を隠す用途に用いられる薄形キャビネットに関する。
【背景技術】
【０００２】
従来、キッチン等の室内のリフォームを行ない、調理台などをそれまでとは異なった位置に配置した場合、図７の如く、ガス、水道、排水等の配管が室内に露出してしまうことがある。第７図はキッチンのリフォームの一例を示す平面図であり、（ａ）図はリフォーム前、（ｂ）図はリフォーム後を示す。
【０００３】
図７（ａ）ではキッチン１の壁２に沿って調理台３が配置され、パイプスペース４から配管５，６，７が調理台３に引き込まれている。リフォーム後の図７（ｂ）にあっては、仕切壁８に開口９がくり抜かれ、ダイニングルームＤのテーブルＴが該開口９に隣接配置されている。キッチン１内では、この仕切壁８に沿って調理台３が配置され、対面式キッチンが構成されている。
【０００４】
図７（ｂ）のように、リフォームを行なうことにより配管が室内に露出すると、きわめて美感が悪いと共に、室の隅部の清掃も行ないにくいものとなる。そのため、このようなリフォームの場合には、壁、床を改造したり、壁、床を壊して新たな壁、床を作り、その中に配管を通すようにしている。
【０００５】
このようなリフォーム後の露出した配管を隠す従来技術としては、特許文献１に示す技術が公知である。
【０００６】
【特許文献１】特許第３０１１０５２号公報
【０００７】
この従来の特許文献１に示された技術は、奥行が１５ｃｍ以下の薄形キャビネットであって、底板が下端から１５ｃｍ以上高いレベルに設けられ、該底板の下側は、該キャビネットの左端から右端まで一続きの連続空間となっており、該底板の下側の背面部分は、背板なしの開放状となっており、該底板よりも上側の前面に扉又は戸を設けて構成したことを特徴とするものである。
【０００８】
このように構成することで、上記特許文献１の技術にあっては、室内の壁面の下部に沿って引き回された配管を隠蔽することができ、しかも、キャビネットとして室内のデザインにマッチしたものとなるため、この室内の美感を著しく向上させることができると共に、奥行が小さく形成されているため、室内の使用可能スペースを殆ど狭めることがなく、きわめて実用性に優れているという効果が得られる。また、底板の高さを十分に高くとってあるため、奥行が小さくても、複数本の配管を余裕をもって底板下空間内に引き回すことができる。さらに、この底板下空間の背後の背板がないため、この薄形キャビネットを配管に対し前方、上方あるいは斜め前方のいずれの方向からも被せるようにして容易に立設配置することができる、という効果が得られる。
【発明の開示】
【発明が解決しようとする課題】
【０００９】
しかしながら、上記特許文献１の技術にあっては、収納部の扉又は戸は観音開き式であるため、扉等を開いたときに、薄形であるが故に、収納物が落下し易く使い勝手が悪いという問題を有していると共に、所謂ケコミ部が存在しない構成であるため、隣接する流し台や調理台等の厨房家具におけるケコミ部のラインと整合性がないので、デザイン品質が悪い、という問題を有していた。また、一般に流し台や調理台等の厨房家具の高さ寸法は８０ｃｍ，８５ｃｍ，９０ｃｍの３タイプに設定されているが、上記特許文献１の技術ではケコミ部がない構造であるため、上記３タイプに合わせた薄形キャビネットを用意しなければならず、歩留まりが悪くなる、という問題をも有していた。
【００１０】
この発明は、かかる現状に鑑み創案されたものであって、その目的とするところは、特許文献１の技術が奏する効果が得られることに加え、薄形キャビネットであっても、収納物の出し入れが容易であり、隣接する厨房家具との意匠合わせも容易でデザイン品質に優れ、また、ケコミ部を交換若しくは切断するだけで３タイプのいずれの厨房家具の高さに調整することが容易で、歩留まりも良好な薄形キャビネットを提供しようとするものである。
【課題を解決するための手段】
【００１１】
上記目的を達成するため、請求項１に記載の発明にあっては、奥行が１５ｃｍ以下の薄形のキャビネットを、天板と底板と左右サイドパネルと、左右サイドパネル間に架設された棚板と、で矩形状に形成されたキャビネット本体と、該キャビネット本体の底板の下部に配設されるケコミ体と、上記キャビネット本体の左右サイドパネルのいずれか一方又は両方に取り付けられるフィラーと、で構成し、上記棚板と天板との間に背板を配設して収納部を形成し、上記キャビネット本体の棚板と底板との空間部を配管スペースとして利用可能とすると共に、上記収納部及び配管スペースの前面開口部には、扉或は戸を開閉自在に取り付けたことを特徴とする。
【００１２】
請求項２に記載の発明は、請求項１に記載の薄形キャビネットを技術的前提とし、前記収納部に開閉自在に取り付けられる扉或は戸を、上辺部が回動するポケットタイプとしたことを特徴とする。
【００１３】
請求項３に記載の発明は、請求項１又は請求項２のいずれかに記載の薄形キャビネットを技術的前提とし、前記コケミ体の奥行寸法を、本薄形キャビネットと隣接する厨房家具のケコミ部の奥行寸法と同じ寸法となるように形成したことを特徴とする。
【００１４】
請求項４に記載の発明は、請求項３に記載の薄形キャビネットを技術的前提とし、前記ケコミ体の高さ寸法を１５０ｍｍ以上とし、易切断材質で形成したことを特徴とする。易切断材質としては、木材やプラスチックが好適である。
【００１５】
請求項５に記載の発明は、請求項１乃至請求項４のいずれかに記載の薄形キャビネットを技術的前提とし、前記フィラーは、前記キャビネット本体の前面部と面一となるように取り付けられる意匠板部と、該意匠板部の裏面側に配設され該意匠板部をサイドパネルに固定するための固定片と、上記意匠板部の下端部に固定された前面パネル部と、から構成されてなり、該前面パネル部は、前記キャビネット本体の下部に配設されたケコミ部の前面部と面一となる奥行位置に固定されていることを特徴とする。
【発明の効果】
【００１６】
以上説明したように、請求項１に記載の発明にあっては、奥行が１５ｃｍ以下の薄形のキャビネットを、天板と底板と左右サイドパネルと、左右サイドパネル間に架設された棚板と、で矩形状に形成されたキャビネット本体と、該キャビネット本体の底板の下部に配設されるケコミ体と、上記キャビネット本体の左右サイドパネルのいずれか一方又は両方に取り付けられるフィラーと、で構成し、上記棚板と天板との間に背板を配設して収納部を形成し、上記キャビネット本体の棚板と底板との空間部を配管スペースとして利用可能とすると共に、上記収納部及び配管スペースの前面開口部には、扉或は戸を開閉自在に取り付けて構成したので、室内の壁面の下部に沿って引き回された配管を隠蔽することができ、しかも、キャビネットとして室内のデザインにマッチしたものとなるため、この室内の美感を著しく向上させることができる。しかも、この薄形キャビネットは、奥行が小さく、室内の使用可能スペースを殆ど狭めることがなく、きわめて実用性に優れた効果を得ることができる。また、底板の高さを、ケコミ体を介して十分に高くとってあるため、奥行が小さくても、複数本の配管を余裕をもって底板と棚部との間の空間内に引き回すことができる。さらに、この底板と棚板との間の空間部には背板を設けていないので、この薄形キャビネットを配管に対し前方、上方あるいは斜め前方のいずれの方向からも被せるようにして容易に立設配置することができる。加えて、この発明にあっては、ケコミ体を有して構成されているので、隣接する厨房家具との意匠合わせも容易で、デザイン品質に優れている、という効果も得られる。
【００１７】
請求項２に記載の発明にあっては、前記収納部に開閉自在に取り付けられる扉或は戸を、下辺部が軸支され、上辺部が回動するポケットタイプで構成したので、薄形キャビネットであっても、収納物の出し入れが容易であり、収納物がみだりに落下しないので、使い勝手も良好である、という効果が得られる。
【００１８】
請求項３に記載の発明にあっては、前記コケミ体の奥行寸法を、本薄形キャビネットと隣接する厨房家具のケコミ部の奥行寸法と同じ寸法となるように形成したので、隣接する厨房家具との意匠合わせも容易であり、デザイン品質を向上させることができる。
【００１９】
請求項４に記載の発明にあっては、前記ケコミ体の高さ寸法を１５０ｍｍ以上とし、易切断材質で形成したので、該ケコミ部を交換若しくは切断するだけで３タイプのいずれの厨房家具の高さにも容易に調整することができ、歩留まり性を向上させることができる。
【００２０】
請求項５に記載の発明にあっては、前記フィラーを、前記キャビネット本体の前面部と面一となるように取り付けられる意匠板部と、該意匠板部の裏面側に配設され該意匠板部をサイドパネルに固定するための固定片と、上記意匠板部の下端部に固定された前面パネル部と、から構成されてなり、該前面パネル部は、前記キャビネット本体の下部に配設されたケコミ部の前面部と面一となる奥行位置に固定するように構成したので、開口調整部となるサイドパネルの両側に形成されるデッドスペースを、キャビネットではなく、フィラーで隠蔽することができるので、コストを低く抑えることができる。
【発明を実施するための最良の形態】
【００２１】
以下、添付図面に示す発明の実施の形態例に基づき、この発明を詳細に説明する。
【実施例１】
【００２２】
図１乃至図４は、この発明の実施例１に係る薄形キャビネットＫを示しており、この薄形キャビネットＫのキャビネット本体１０は、天板１１と底板１２と左右サイドパネル１３，１４と、左右サイドパネル１３，１４間に架設された棚板１５と、で矩形状に形成されており、該キャビネット本体１０の底板１２の下部にはケコミ体１６が配設され、また、上記キャビネット本体１０の左右サイドパネル１３，１４の両側には、フィラー１７，１８が固定されて構成されている。
【００２３】
このように構成されるキャビネット本体１０は、図３に示すように、その奥行寸法Ｈ１が１５ｃｍ以下に設定されており、この実施例１では、該キャビネット本体１０の高さ寸法は８４３ｍｍ、幅寸法は８１７ｍｍに設定されている。奥行寸法Ｈ１を１５ｃｍ以下と小さく設定することで、本薄形キャビネットＫを設置しても、厨房室の壁面からの出っ張りを小さくすることができ、キッチンの使用可能スペースを狭める心配がなく、しかも、このように薄形でありながら、配管スペース２１のキッチン床面からの高さ寸法Ｈ２を１５５ｍｍと高くとっているため、複数本の配管を当該配管スペース２１内に余裕をもって引き回すことができる。
【００２４】
そして、上記棚板１５と天板１１との間の奥行部は、背板１９が配設されて収納部２０が形成されていると共に、上記キャビネット本体１０の棚板１５と底板１２との空間部は、背板が配設されておらず、配管スペース２１として利用される。
【００２５】
また、上記収納部２０及び配管スペース２１の前面開口部には、夫々扉２２，２３が開閉自在に取り付けられている。
【００２６】
上記収納部２０に開閉自在に取り付けられる扉２２は、この実施例１では、その両側部がＶ字状のヒンジ２４，２４に軸支されており、上辺部が回動するポケットタイプで構成されており、該扉２２の裏面側下部には、断面形状が略Ｌ字状のポケット部２５が形成され、扉２２を手前側に引き出したときに、上部が大きく開口し、下辺部が棚板１５に当接して略Ｖ字状に開口するように構成されているので、薄形キャビネットであっても、収納部２０への物の出し入れが容易であり、また、収納物がみだりに落下しないので、安全である。尚、図中符号２７は、マグネットキャッチである。
【００２７】
また、扉２３は、この実施例１では、図２及び図３に示すように、裏面側上部両側に取り付けられたヒンジ２６，２６によって上方向に回動自在に軸支されている。勿論、この発明にあっては、この扉２３を観音開式扉或はスライド式扉或はラッチやキャッチによる取り付けでも構わない。
【００２８】
ケコミ体１６は、この実施例１では高さ寸法Ｈ２を１５５ｍｍとし、かつ、容易に切断することができるように木材で形成されており、図１に示すように、前面板１６ａと、両サイド板１６ｂ，１６ｃと、薄板で形成された背板１６ｄと、から構成されている。このように、ケコミ体１６を容易に切断することができる材質で形成することにより、該ケコミ部１６を、１０５ｍｍ，５５ｍｍに合わせて切断するだけで、３タイプのいずれの厨房家具の高さにも容易に調整することができる。この実施例１では、背板１６ｄを薄板で形成したので、上記切断作業を小さな力で行なうことができる。尚、特に図示はしないが、切断個所の目印をケコミ体１６の両サイド板１６ｂ，１６ｃ或は背板１６ｄに表示するのが望ましい。
【００２９】
そして、この実施例１では、上記コケミ体１６の奥行寸法Ｈ３を、本薄形キャビネットＫと隣接する厨房家具のケコミ部の奥行寸法と同じ寸法及び同じデザインとなるように形成したので、隣接する厨房家具との意匠合わせも容易であり、デザイン品質を向上させることができる。
【００３０】
フィラー１７，１８は、前記キャビネット本体１０の前面部と面一となるように取り付けられる意匠板部１７Ａ，１８Ａと、該意匠板部１７Ａ，１８Ａの裏面側に配設され該意匠板部１７Ａ，１８Ａをサイドパネル１３，１４に接着剤或はビス等で固定するための固定片１７Ｂ，１８Ｂと、上記意匠板部１７Ａ，１８Ａの下端部に連結片１７Ｃ，１８Ｃを介して固定された前面パネル部１７Ｄ，１８Ｄと、から構成されてなり、該前面パネル部１７Ｄ，１８Ｄは、前記キャビネット本体１０の下部に配設されたケコミ部１６の前面板１６ａと面一となる奥行位置に固定されている。
【００３１】
このように、この実施例１に係る薄形キャビネットＫは、図５及び図６に示すように、壁面Ｗに沿って引き回された配管Ｐを隠す用途に用いられる。
【００３２】
図５に示すケースでは、流し台Ｆの排水管Ｐが、流し台Ｆの天板２８の下方であって、流し台キャビネットの側板２９と壁面Ｗとの間の空隙部Ｓに収納された本薄形キャビネットＫの配管スペース２１に引き込まれるように構成することで、流し台キャビネットの側板２９と壁面Ｗとの間の隙間を解消することができる。
【００３３】
図６に示すケースでは、配管Ｐは床面Ｇから立ち上げられた後、収納キャビネットＥと流し台Ｆとの間の壁面に配設された本薄形キャビネットＫの配管スペース２１内に引き込まれ、該配管Ｐは完全に覆い隠すことができるため、キッチンの使用者にとって異和感が全くなく、キッチンのデザイン上のまとまりに優れ、美感がきわめて高いものとなる。また、壁面Ｗとキッチン床面との交叉隅部付近がすべて本薄形キャビネットＫで覆われるため、この隅部付近の清掃も容易となる。
【図面の簡単な説明】
【００３４】
【図１】本発明の実施例１に係る薄形キャビネットの構成を示す分解斜視図である。
【図２】同薄形キャビネットの正面図である。
【図３】図２Ａ−Ａ線断面図である。
【図４】同薄形キャビネットの平面図である。
【図５】同薄形キャビネットの使用例を示す説明図である。
【図６】同薄形キャビネットの他の使用例を示す説明図である。
【図７】キッチンのリフォーム例を示す平面説明図である。
【符号の説明】
【００３５】
Ｋ  薄形キャビネット
１０  キャビネット本体
１１  天板
１２  底板
１３，１４  サイドパネル
１５  棚板
１６  ケコミ体
１７，１８  フィラー
１７Ａ，１８Ａ  意匠板部
１７Ｂ，１８Ｂ  固定片
１７Ｄ，１８Ｄ  前面パネル部
１９  背板
２０  収納部
２１  配管スペース
２２，２３  扉
【図１】
2005185593.tif 000003
【図２】
2005185593.tif 000004
【図３】
2005185593.tif 000005
【図４】
2005185593.tif 000006
【図５】
2005185593.tif 000007
【図６】
2005185593.tif 000008
【図７】
2005185593.tif 000009